(57)【要約】【課題】使用者が睡眠中に芳香作用，遠赤外線作用又はマイナスイオン作用を全身的に受けることができるベッドの提供。【解決手段】木製ベッドは、ベッド枠１０に支持された箱形寝床部２０と、その内空間を小分け空間２１ａ，２１ｂ，２１ｃとして区画する仕切板２１と、小分け空間２１ａ，２１ｂ，２１ｃを閉蓋する蓋板２２ａ，２２ｂ，２２ｃと、小分け空間２１ａ，２１ｂ，２１ｃを閉蓋する蓋板２２ａ，２２ｂ，２２ｃとを有する。小分け空間２１ａ，２１ｂ，２１ｃには桧チップ，トルマリン，木炭，植物のポプリ等の内容物（図示せず）が収納されている。蓋板２２ａ，２２ｂ，２２ｃには多数の通気孔Ｈが形成されている。箱形寝床部２０の底板にも多数の通気孔ｈが形成されている。【選択図】      図１
2006340969.tif 000002
【特許請求の範囲】
【請求項１】
ベッド枠に支持された箱形寝床部を有し、当該箱形寝床部の内空間に木のチップ，鉱石，炭，植物のポプリ等の内容物を収納して成り、前記箱形寝床部の上板は多数の通気孔を備えて成ることを特徴とするベッド。
【請求項２】
請求項１において、前記箱形寝床部はベッド枠に嵌め込み支持されており、前記上板は蓋板であることを特徴とするベッド。
【請求項３】
請求項１又は請求項２において、前記箱形寝床部の底板は多数の通気孔を備えて成ることを特徴とするベッド。
【請求項４】
請求項１乃至請求項３のいずれか一項において、前記箱形寝床部の内空間は１又は２以上の仕切板で区画された小分け空間を有することを特徴とするベッド。
【請求項５】
請求項１乃至請求項４のいずれか一項において、前記ベッド枠及び前記箱形寝床部が木製であることを特徴とするベッド。
【発明の詳細な説明】
【技術分野】
【０００１】
本発明は、ベッドに関し、特に、使用者が睡眠中に芳香作用，遠赤外線作用又はマイナスイオン作用を全身的に受けることができるベッドに関する。
【背景技術】
【０００２】
従来、血行促進とマッサージ効果が得られる木製ベッドが特開２００２―５８５６７に開示されている。この木製ベッドは、複数の棒状部材を並べた寝床部を備えている。
【特許文献１】特開２００２―５８５６７
【発明の開示】
【発明が解決しようとする課題】
【０００３】
この木製ベッドによれば、睡眠中の寝返りや身動きによる局部圧力で血行促進やマッサージ効果が得られるものの、逆に、寝心地の悪さが伴い、ベッドの本来機能である熟睡や快眠を損なう。
【０００４】
この種のベッドは言わば健常者にとっての健康増進を図るための健康器具であり、虚弱体質や大病をなされた方々にはふさわしくない。健康弱者にとってのベッドは、病気等を克服する気持を抱かせるものがふさわしい。
【０００５】
そこで、上記問題点に鑑み、本発明の課題は、使用者が睡眠中に芳香作用，遠赤外線作用又はマイナスイオン作用を全身的に受けることができるベッドを提供することにある。
【課題を解決するための手段】
【０００６】
上記課題を解決するため、本発明に係るベッドは、ベッド枠に支持された箱形寝床部を有し、当該箱形寝床部の内空間に木のチップ，鉱石，炭，植物のポプリ等の内容物を収納して成り、前記箱形寝床部の上板は多数の通気孔を備えて成ることを特徴とする。箱形寝床部の上板に横たわる使用者は、上板の多数の通気孔を介して木のチップや植物のポプリからの芳香に包まれるため、アロマテラピー作用を睡眠中全身に受けることができる。また、炭からの遠赤外線作用やトルマリン等の鉱石からのマイナスイオン作用を受けることができ、快眠を促すばかりか、健康弱者にとっては、睡眠中もその作用を受けていることが病気等を克服する気持を高める。
【０００７】
箱形寝床部は勿論、ベッド枠も桧材等の木製とするのが良い。
【０００８】
箱形寝床部はベッド枠に対して引き出し式に取り付けることができるが、ベッド枠に嵌め込み支持されており、上板は蓋板であることが望ましい。蓋板を取り外すことで、箱形寝床部内の内容物を交換できる。
【０００９】
箱形寝床部の底板が多数の通気孔を備えて成る場合は、底板の真下に蒸気発生器を設置すると、蒸気が底板の通気孔を介して内容物を通り抜けて横たわる人の身体を保湿すると同時に、アロマテラピー効果をもたらす。また、横たわっている人の上にプラスチックカバーを覆うことにより、発汗効果を促すこともできる。
【００１０】
箱形寝床部の内空間が１又は２以上の仕切板で区画された小分け空間を有する場合、箱形寝床部の補強効果と共に、異なる内容物を仕分けして収めることができ、上記各作用の組み合わせを発揮できる。
【発明を実施するための最良の形態】
【００１１】
次に、本発明の実施形態を添付図面に基づいて説明する。図１は本発明の一実施例に係る木製ベッドを示す組立斜視図である。
【００１２】
本例の木製ベッドは、桧材を用いたベッド枠１０と、これに上から嵌め込んで支持される箱形寝床部２０を有する。ベッド枠１０は、４本の脚部１１と、これらを連結する梁材１２〜１５と、ヘッドボード１６と、箱形寝床部２０を嵌め込み支持する段差を形成するための枠板１７とから成る。
【００１３】
箱形寝床部２０は、内空間を３つの小分け空間２１ａ，２１ｂ，２１ｃとして区画する仕切板２１を有し、その上板は小分け空間２１ａ，２１ｂ，２１ｃを閉蓋する蓋板２２ａ，２２ｂ，２２ｃとして分かれている。各小分け空間２１ａ，２１ｂ，２１ｃには蓋板２２ａ，２２ｂ，２２ｃの嵌め込み支持してフラット化を図るために段差を形成する内板Ｐが設けられている。の蓋板２２ａ，２２ｂ，２２ｃには多数の通気孔Ｈが形成されている。また、小分け空間２１ａ，２１ｂ，２１ｃの底板にも多数の通気孔ｈが形成されている。そして、小分け空間２１ａ，２１ｂ，２１ｃには、桧チップ，トルマリン，木炭，植物のポプリ等の内容物（図示せず）が収納されている。桧チップは桧材をサイコロ状に細断した後、桧オイルを含ませたものと使用できる。アロマテラピー効果を高めるためには植物のポプリに精油を含ませても良い。
【００１４】
箱形寝床部２０の蓋板２２ａ，２２ｂ，２２ｃに横たわる使用者は、多数の通気孔Ｈを介して桧チップや植物のポプリからの芳香に包まれるため、アロマテラピー作用ないし森林浴作用を睡眠中全身に受けることができる。また、木炭からの遠赤外線作用やトルマリンからのマイナスイオン作用を受けることができ、快眠を促すばかりか、健康弱者にとっては、睡眠中もその作用を受けていることが病気等を克服する気持を高める。
【００１５】
箱形寝床部２０は勿論、ベッド枠１０も桧材等の木製とするのが良い。
【００１６】
箱形寝床部２０はベッド枠１０に嵌め込み支持されており、上板が蓋板２２ａ，２２ｂ，２２ｃであることから、蓋板２２ａ，２２ｂ，２２ｃを取り外すことで、箱形寝床部２０内の内容物を交換できる。
【００１７】
また、箱形寝床部２０の底板に多数の通気孔ｈが形成されているため、底板の真下に蒸気発生器を設置すると、蒸気が底板の通気孔ｈを介して内容物を通り抜けて横たわる人の身体を保湿すると同時に、アロマテラピー効果をもたらす。また、横たわっている人の上にプラスチックカバーを覆うことにより、発汗効果を促すこともできる。
【００１８】
仕切板２１は箱形寝床部２０の補強部材となるが、小分け空間２１ａ，２１ｂ，２１ｃで分割されるため、異なる内容物を仕分けして収めることができ、上記各作用の組み合わせを発揮できる。
【００１９】
なお、本例ではベッド枠１０と箱形寝床部２０とを桧材を用いた木製として構成してあるが、金属製でも構わない。
【図面の簡単な説明】
【００２０】
【図１】本発明の一実施例に係る木製ベッドを示す組立斜視図である。
【符号の説明】
【００２１】
１０…ベッド枠
１１…脚部
１２〜１５…梁板
１６…ヘッドボード
１７…枠板
２０…箱形寝床部
２１ａ，２１ｂ，２１ｃ…小分け空間
２１…仕切板
２２ａ，２２ｂ，２２ｃ…蓋板
Ｈ，ｈ…通気孔
Ｐ…内板
【図１】
2006340969.tif 000003